(57)【特許請求の範囲】
【請求項１】
予め記録媒体に記録された画像を再生する画像処理装置において、
前記画像の再生を停止する際に入力される、視聴者の識別情報を、前記画像の再生停止位置を示す再生停止位置情報および前記画像を識別するためのタイトルと対応付けたマーク情報を記憶する記憶手段と、
前記画像を再生する際に、１つ以上の前記マーク情報が前記記憶手段に記憶されている場合、それらのマーク情報を前記視聴者に提示する提示手段と、
提示された前記１つ以上のマーク情報のうちの１つが選択されたら、その選択された１つのマーク情報の前記タイトルが示す画像を、前記１つのマーク情報の前記再生停止位置情報が示す位置から再生し、その後、前記１つのマーク情報以外の他のマーク情報の前記再生停止位置情報が示す位置まで再生したら、その位置で再生を一時停止するとともに、前記提示手段によって前記他のマーク情報を前記視聴者に提示させる再生手段と、
を備えたことを特徴とする画像処理装置。
【請求項２】
予め記録媒体に記録された画像を再生する画像処理方法において、
前記画像の再生を停止する際に入力される、視聴者の識別情報を、前記画像の再生停止位置を示す再生停止位置情報および前記画像を識別するためのタイトルと対応付けたマーク情報を記憶する記憶ステップと、
前記画像を再生する際に、１つ以上の前記マーク情報が前記記憶ステップに記憶されている場合、それらのマーク情報を前記視聴者に提示する提示ステップと、
提示された前記１つ以上のマーク情報のうちの１つが選択されたら、その選択された１つのマーク情報の前記タイトルが示す画像を、前記１つのマーク情報の前記再生停止位置情報が示す位置から再生し、その後、前記１つのマーク情報以外の他のマーク情報の前記再生停止位置情報が示す位置まで再生したら、その位置で再生を一時停止するとともに、前記提示手段によって前記他のマーク情報を前記視聴者に提示させる再生ステップと、
を含むことを特徴とする画像処理方法。
【発明の詳細な説明】
【技術分野】
【０００１】
本発明はハードディスク、光ディスク等のランダムアクセス性に優れた記録媒体に記録された映像信号を再生させる画像処理装置及び画像処理方法に係り、特に記録された映像信号を再生する際に、再生開始位置を複数の視聴者ごとに容易に設定できる画像処理装置及び画像処理方法に関する。
【背景技術】
【０００２】
従来、記録媒体に記録された映像信号を再生し画像として画像処理装置に接続されている表示装置のＣＲＴ，液晶等のディスプレイに表示するときは、記録媒体を画像処理装置に設置し、次に画像処理装置に付加されているリモコン送信部の再生ボタンを押すことにより、画像処理装置を駆動して記録媒体に記録された映像信号を再生して表示装置へ送り、表示装置のディスプレイ上に画像として表示していた。
特許文献１に記載されているように、記録媒体に記録された映像信号の再生を停止して待機する場合には、静止画を表示し、待機終了後、再び映像信号の再生を行っていた。図７に、この従来の画像処理装置と表示装置とを示す。
【０００３】
図７に示すように、従来の画像処理装置１０１は、リモコン送信部１０２と、リモコン受信部１０３と、映像記憶再生部１０４と映像信号送信部１０５とから構成される。
そして画像処理装置１０１に接続されて画像を表示する表示装置１０６は、映像信号受信部１０７と表示部１０８とからなる。
【０００４】
画像処理装置１０１は、遠隔からのリモコン送信部１０２のボタン操作によりリモコン送信部１０２から送信されるリモコン情報を受信し、外部から供給される入力映像信号を映像記憶再生部１０４に記憶したり、記憶した映像信号を再生して再生映像信号として出力したりする。
リモコン送信部１０２は、リモコン操作用の複数のボタンと、このボタンの押した位置からリモコン情報を生成して送信する送信機能と、を有し、画像処理装置１０１に内蔵されているリモコン受信部１０３へリモコン情報をおくる。
【０００５】
リモコン受信部１０３は、リモコン送信部１０２のボタン操作によりリモコン送信部１０２から送信されたリモコン情報を受信して映像記憶再生部１０４の制御信号を生成する。
映像記憶再生部１０４は、例えば、ハードディスク、光ディスク等のランダムアクセス性に優れた記録媒体を設置し，リモコン情報に基づくリモコン受信部１０３からの制御信号によって、入力映像信号を記録媒体に記憶したり、記録媒体に記憶されている映像信号を再生したりする。
映像信号送信部１０５は、記録媒体１０４で再生された映像信号を再生映像信号として出力する。
【０００６】
映像信号受信部１０７は、映像信号送信部１０５から再生映像信号を入力し、ＣＲＴ、液晶等のディスプレイ用の表示信号を生成して表示部１０８へ送る。
表示部１０８は、ＣＲＴ，液晶等のディスプレイを有し、映像信号受信部１０７から表示信号を入力してディスプレイ上に画像を表示する。
【０００７】
次に、画像処理装置１０１に記憶されている映像信号の再生について説明する。
画像処理装置１０１と表示装置１０６とを接続し、両装置の電源をＯＮにする。
そして、図８のフローチャートに示すように、まずリモコン送信部１０２の再生ボタン
を押す。（再生スタート）
次に，画像処理装置１０１に記憶されている映像信号が再生されて表示装置１０６のディスプレイ上に画像として表示される。（再生表示）
この映像信号の再生表示中に，リモコン送信部１０２の停止ボタンを押すと映像信号再生が中止される。（画面停止）
そして、表示装置１０６のディスプレイ上に映像信号停止時の画像もしくは、特許文献
１に記載されているような静止画として予め用意された表示用の画像が静止画として表示される。（静止画像表示）
次に，再び、リモコン送信部１０２の再生ボタンを押すと停止時の位置から引き続き映像信号の再生が行われる。（停止再生）
その後、リモコン送信部１０２の停止ボタンを押さなければ映像信号の再生は最後まで行われる。（再生終了）
【０００８】
このようにして、従来は、視聴者が一人の場合，画像処理装置１０１に記憶されている映像信号を再生している最中に、所用が生じて一時停止する場合、静止画を表示させ、所用が済み次第、静止画を解除して引き続き映像信号を再生し，視聴していた。
【特許文献１】特開２０００−２３６５２１号公報
【発明の開示】
【発明が解決しようとする課題】
【０００９】
しかしながら、複数の視聴者により画像処理装置１０１に記憶されている映像信号を再生し視聴している最中に、一部の視聴者の都合により再生を一時停止して，表示装置１０６のディスプレイ上に静止画を表示し，一部の視聴者の都合がついて、再び、映像信号の再生を開始するまで他の視聴者を待機させることは困難であり，また、一部の視聴者に再生の途中を飛ばして視聴させたり、或いは、既に視聴済みの映像信号を含めて最初から映像信号の再生を行わせたりすることは、映像信号の内容を十分把握できなかったり、時間を無駄に消費させたりするという問題点があった。
【００１０】
そこで、本発明は、上記のような問題点を解消するためになされたもので、複数の視聴者により画像処理装置１０１に記憶されている映像信号を再生し視聴する場合にも、映像信号の再生を停止した位置（再生再開位置）を、複数の視聴者ごとに容易に設定できる画像処理装置及び画像処理方法を提供することを目的とする
【課題を解決するための手段】
【００１１】
本願発明における第１の発明は、予め記録媒体に記録された画像を再生する画像処理装置において、前記画像の再生を停止する際に入力される、視聴者の識別情報を、前記画像の再生停止位置を示す再生停止位置情報および前記画像を識別するためのタイトルと対応付けたマーク情報を記憶する記憶手段と、前記画像を再生する際に、１つ以上の前記マーク情報が前記記憶手段に記憶されている場合、それらのマーク情報を前記視聴者に提示する提示手段と、提示された前記１つ以上のマーク情報のうちの１つが選択されたら、その選択された１つのマーク情報の前記タイトルが示す画像を、前記１つのマーク情報の前記再生停止位置情報が示す位置から再生し、その後、前記１つのマーク情報以外の他のマーク情報の前記再生停止位置情報が示す位置まで再生したら、その位置で再生を一時停止するとともに、前記提示手段によって前記他のマーク情報を前記視聴者に提示させる再生手段と、を備えたことを特徴とする画像処理装置を提供する。
第２の発明は、予め記録媒体に記録された画像を再生する画像処理方法において、前記画像の再生を停止する際に入力される、視聴者の識別情報を、前記画像の再生停止位置を示す再生停止位置情報および前記画像を識別するためのタイトルと対応付けたマーク情報を記憶する記憶ステップと、前記画像を再生する際に、１つ以上の前記マーク情報が前記記憶ステップに記憶されている場合、それらのマーク情報を前記視聴者に提示する提示ステップと、提示された前記１つ以上のマーク情報のうちの１つが選択されたら、その選択された１つのマーク情報の前記タイトルが示す画像を、前記１つのマーク情報の前記再生停止位置情報が示す位置から再生し、その後、前記１つのマーク情報以外の他のマーク情報の前記再生停止位置情報が示す位置まで再生したら、その位置で再生を一時停止するとともに、前記提示手段によって前記他のマーク情報を前記視聴者に提示させる再生ステップと、を含むことを特徴とする画像処理方法を提供する。
【発明の効果】
【００１２】
本発明によれば、映像信号の再生を停止した位置（再生再開位置）を、複数の視聴者ごとに容易に設定できる
【発明を実施するための最良の形態】
【００１３】
以下に本発明の実施形態に係る画像処理装置及び画像処理方法について図１〜図６を用いて説明する。
図１は、本発明の実施形態における画像処理装置の全体の構成を示す図である。
図２は、本発明の実施形態におけるリモコン送信機のボタン配列を示す図である。
図３は、本発明の実施形態における画像処理装置において指定されるマーク番号を付加する場合の動作を説明するためのフローチャートを示す図である。
図４は、表示装置のディスプレイ上に表示される指定マークを説明するための図であり、（Ａ）はマーク番号を選択する場合に表示される画像を示す図であり，（Ｂ）はマーク番号が選択された場合の画像を示す図である。
図５は、本発明の実施形態における画像処理装置においてマーク番号を選択して映像信号を再生する場合の動作を説明するためのフローチャートを示す図である。
図６は、表示装置のディスプレイ上に表示される再生時の指定マークを説明するための図であり、（Ａ）はマーク番号を選択する場合に表示される画像を示す図であり，（Ｂ）はマーク番号が選択され映像タイトルを選択する場合の画像を示す図である。
【００１４】
図１に示すように、本発明の実施形態における画像処理装置１は、リモコン送信部２と、リモコン受信部３と，記憶領域指定部４と、映像記憶再生部５と、マーク再生部６と、視覚制御部７と、映像信号送信部８と、から構成される。そして画像表示装置１に接続して使用される表示装置１０は、映像信号受信部１１と、表示部１２と、から構成される。
【００１５】
画像処理装置１は、遠隔からのリモコン送信部２のボタン操作によりリモコン送信部２から送信されるリモコン情報を受信し、外部から供給される入力映像信号を記憶したり、記憶した映像信号を再生して再生映像信号として出力したりする。
表示装置１０は、画像処理装置１から出力される再生映像信号を入力し、表示装置１０に設置されているディスプレイ上に画像を表示する。
【００１６】
リモコン送信部２は、図２に示すようなリモコン操作用の複数のボタンと、この複数のボタンの押した位置によるリモコン情報を生成して送信する送信機能とを有し、画像処理装置１に内蔵されているリモコン受信部３にリモコン情報を送信する。
リモコン受信部３は、リモコン送信部２と対を為し、リモコン送信部２からボタン操作により送信されたリモコン情報を受信して記憶領域指定部４への記憶領域の指定信号と、映像記憶再生部５への制御信号とを生成する。
【００１７】
記憶領域指定部４は、映像記憶再生部５の記録媒体に記憶されている映像信号にリモコン情報から得た再生位置にマークを付加する指定信号を生成する。
映像記憶再生部５は、ハードディスク、光ディスク等のランダムアクセス性に優れた記録媒体を設置し，リモコン情報に基づくリモコン受信部１０３からの制御信号によって、入力映像信号を記録媒体に記憶したり、記録媒体に記憶されている映像信号を再生したりし、さらに、記憶領域指定部４からリモコン情報として得た映像信号再生中の停止ボタンを押した時の記録媒体の再生位置を示す指定信号を入力してこの再生位置に記憶されている映像信号にマークを付加する。
【００１８】
マーク再生部６は、記録媒体の再生位置の映像信号に付加されたマークを読み取りマーク信号を生成する。
視覚制御部７は、マーク再生部６から入力したマーク信号に基づいて、映像信号に混合して表示するマーク情報（指定マーク）を生成する。
映像信号送信部８は、映像記憶再生部５の記録媒体から再生された映像信号に視覚制御部７からのマーク情報（指定マーク）を混合して再生映像信号を生成する。
【００１９】
映像信号受信部１１は、映像信号送信部８から再生映像信号を入力し、ＣＲＴ、液晶等のディスプレイ用の表示信号を生成して表示部１２へ送る。
表示部１２は、ＣＲＴ，液晶等のディスプレイを有し、映像信号受信部１１から表示信号を入力してディスプレイ上に画像を表示する。
【００２０】
次に、画像処理装置１の記憶動作について説明する。
図１に示すように、画像処理装置１に入力映像信号を入力し、画像処理装置１と表示装置１０とを接続し、両装置の電源をＯＮにする。
そして記録媒体を画像処理装置１の映像記憶再生部に挿入する（ハードディスクが固定で装着されている場合は、そのまま使用する）。
【００２１】
次に、図２のリモコン送信部２の録画ボタンと再生ボタンとを同時に押して、入力映像信号の記録媒体への記憶を開始する。
この時、映像タイトル（例えば映像タイトルＡ）が付加される。所定時間後に停止ボタンを押すと映像タイトルを付加したまま終了する。
【００２２】
そして、他の入力画像信号を入力し、リモコン送信部２の録画ボタンと再生ボタンとを同時に押して、他の入力映像信号の記録媒体への記憶を開始し、他の映像タイトル（例えば映像タイトルＢ）が付加され、所定時間後に停止ボタンを押すと他の映像タイトルを付加したまま終了する。
このようにして，１つの記録媒体に複数の映像タイトルを有する入力映像信号を記憶する。
【００２３】
次に、画像処理装置１の再生動作について説明する。
図１に示すように、画像処理装置１と表示装置１０とを接続し、両装置の電源をＯＮにする。
そして映像信号が記憶された記録媒体を画像処理装置１の映像記憶再生部に挿入する（ハードディスクが記録媒体として固定で装着されており、映像信号が既に記憶されている場合はそのまま使用する）。
【００２４】
次に、図２に示すリモコン送信部２を図３に示すフローチャートに従って操作する。
図３に示すように、まず、再生ボタンを押す。（再生スタート）
そうすると、記録媒体に記憶された映像信号が再生され、表示装置１０のディスプレイ上に再生映像信号の画像が表示される。（映像信号再生表示）
この表示装置１０のディスプレイ上に再生映像信号の画像が表示されている最中に，視聴している複数の視聴者の中の一人に所用が出来て、視聴している場所を離れる時、停止ボタンを押す。ボタンを押さなければ引き続き映像信号を再生して終了する。（再生停止要求）
【００２５】
停止ボタンを押したときに、画像が表示されている再生映像信号が停止され，図４（Ａ）に示すように表示装置１０のディスプレイ上にマーク番号名選択画像が表示される。（「停止／マーク番号」画面表示）
この画像を見ながらリモコン送信部２に設置されている前後左右の移動ボタンにより所用の出来た視聴者のマーク番号を選択して決定ボタンを押す。（「停止／マーク番号」選択）
【００２６】
すると、図４（Ｂ）に示すように、選択したマーク番号と再生映像信号のタイトルと停止した位置が表示され、記録媒体にマーク情報（指定マーク）として記憶され画面表示される。（・・・画面表示する）
そして，次に、再生ボタンを押すと、今まで視聴していた再生映像信号を続けて再生する。（再生を続行するか）
このとき、再生ボタンを押さずに、停止ボタンを続けて押すと再生映像信号の再生は終了する。（再生終了）
【００２７】
次に、マーク番号を付加した映像信号の再生動作について説明する。
図５に示すフローチャートに従って、マーク番号を付加した映像信号の再生操作を行う。
まず、再生ボタンと停止ボタンとを同時に押す。（再生スタート）
記録媒体に記憶された映像信号にマーク番号が付加されていて停止位置の指定があると，図６（Ａ）に示すマーク番号選択画像が表示される。（停止位置指定有り）、（・・・選択画面表示）
【００２８】
この時、映像信号にマーク番号が付加されておらず停止位置の指定がない場合はそのまま記録媒体に記憶されている映像信号が再生される。
マーク番号が付加されている場合、選択画面が表示されるから、次にマーク番号をリモコン送信部２に設置されている前後左右の移動ボタンにより選択して決定ボタンを押すと、図６（Ｂ）に示すようにマーク番号の再生位置が示されている映像タイトルと位置が表示されるから、再度リモコン送信部２に設置されている前後左右の移動ボタンにより選択して決定ボタンを押す。（再生／マーク番号選択）
【００２９】
決定ボタンを押すとマーク番号の再生位置が示されている映像タイトルと位置が削除され，そのマーク番号の再生位置（例えば、映像タイトルＡで位置０００）から映像信号が再生される。（・・・映像信号再生）          
この選択された映像タイトルの指定位置から映像信号が再生されている時に、他のマーク番号で同じ映像タイトルを後の再生位置で指定しているとき、その指定位置に到達したら映像信号の再生が一時停止され、他のマーク番号で図６（Ｂ）に示す画像が表示される。
（・・・マーク番号を表示）
【００３０】
このとき、再生されている映像信号を視聴している現在のマーク番号の視聴者は、他のマーク番号の視聴者を呼んできて、決定ボタンを押すと、他のマーク番号の指定位置から選択された映像タイトルの映像信号が再生されそれぞれのマーク番号の視聴者は一緒に同じ映像信号を視聴する。そして決定ボタンを押すことにより他のマーク番号の映像タイトルの指定位置は削除される。（再生）
【００３１】
他のマーク番号の視聴者がいないときは再生ボタンを押して、現在指定しているマーク番号の視聴者が選択した映像信号の視聴を継続する。この場合は、決定ボタンは押されていないので、他のマーク番号の指定位置は保存されている。従って、他のマーク番号の視聴者は，次の機会に他のマーク番号での指定位置から選択した映像信号の視聴を継続することができる。
【００３２】
次に、具体的な再生動作の実施例について説明する。
まず、最初は、複数の視聴者が同時に記録媒体に記憶された映像信号の画像を視聴して
おり、次に、ある視聴者が途中でマーク番号を付加して、視聴場所から離れ、そして二
人目の他の視聴者がその次に他のマーク番号を付加して、視聴場所から離れ、残りの視聴者は最後まで記憶された映像信号の画像を視聴し終了する。
【００３３】
そして、ある視聴者が視聴場所に戻ってきて、自分で付加したマーク番号から映像信号を再生してこの映像信号の画像を前に視聴した個所を飛ばして視聴する。
次に、他の視聴者が他のマーク番号を付加した映像信号の再生位置にくると、映像信号の再生は一時停止して他のマーク番号を表示するから，今視聴している視聴者は他の視聴者を視聴場所に呼んで、今度は二人で一時停止した位置から映像信号を再生する。
このようにすれば、他の視聴者も前に視聴した個所を飛ばした映像信号の再生画像を視聴できるとともに、視聴する装置の可動時間を少なくする事ができる。
【００３４】
このようにして、視聴場所から順次離れた視聴者が、それぞれマーク番号に基づいて残りの映像信号の再生を行い，最後にマーク番号を付加した再生位置から複数の視聴者で残りの映像信号の再生による視聴を行えば、無駄の無い映像信号の再生を行うことができる。
【００３５】
以上述べてきたように、複数の視聴者により画像処理装置に記憶されている映像信号を再生し視聴する場合、視聴者毎に映像信号を再生する開始位置を示す指定マークを付加することにより、個別に見なかった個所の映像信号を再生したり、複数の視聴者が同じように見なかった個所の映像信号を同時に再生したり，することにより、それぞれの視聴者が視聴する時間を無駄に消費しないようにすることができる。
【図面の簡単な説明】
【００３６】
【図１】本発明の実施形態における画像処理装置の全体の構成を示す図である。
【図２】本発明の実施形態におけるリモコン送信機のボタン配列を示す図である。
【図３】本発明の実施形態における画像処理装置において指定されるマーク番号を付加する場合の動作を説明するためのフローチャートを示す図である。
【図４】表示装置のディスプレイ上に表示される指定マークを説明するための図であり、（Ａ）はマーク番号を選択する場合に表示される画像を示す図であり，（Ｂ）はマーク番号が選択された場合の画像を示す図である。
【図５】本発明の実施形態における画像処理装置においてマーク番号を選択して映像信号を再生する場合の動作を説明するためのフローチャートを示す図である。
【図６】表示装置のディスプレイ上に表示される再生時の指定マークを説明するための図であり、（Ａ）はマーク番号を選択する場合に表示される画像を示す図であり，（Ｂ）はマーク番号が選択され映像タイトルを選択する場合の画像を示す図である。
【図７】従来の画像処理装置の全体の構成を示す図である。
【図８】従来の動作を説明するためのフローチャートを示す図である。
【符号の説明】
【００３７】
１・・・画像処理装置、２・・・リモコン送信部、３・・・リモコン受信部、４・・・記憶領域指定部、５・・・映像記憶再生部、６・・・マーカ再生部、７・・・視覚制御部、８・・・映像信号送信部、１０・・・表示装置、１１・・・映像信号受信部、１２・・・表示部、１０１・・・画像処理装置、１０２・・・リモコン送信部、１０３・・・リモコン受信部、１０４・・・映像記憶再生部、１０５・・・映像信号送信部、１０６・・・表示装置、１０７・・・映像信号受信部，１０８・・・表示部
【図１】
0004412272.tif 000002
【図２】
0004412272.tif 000003
【図３】
0004412272.tif 000004
【図４】
0004412272.tif 000005
【図５】
0004412272.tif 000006
【図６】
0004412272.tif 000007
【図７】
0004412272.tif 000008
【図８】
0004412272.tif 000009